(57)【要約】      （修正有）【課題】歩行が困難な人、老人、病人等が、暗闇や昼間に横断歩道等を安全に歩行できる照明・音声兼用すてきなメロディステッキの提供。【解決手段】Ｔ字状把持部２と棒状支持桿１３とからなり、該ステッキにメロディ等を流す音声部と照明部と両者のオンオフを行うスイッチ部９と電源部６とを設けた昼夜兼用のすてきなメロディステッキ。【選択図】図１
0003112664.tif 000002
【実用新案登録請求の範囲】
【請求項１】
Ｔ字状把持部（Ａ）と棒状支持桿（Ｂ）とからなるステッキであって、該ステッキにメロデイ等を流す音声部と少なくとも１個の照明部と両者のオンオフを行うスイッチ部と電源部とを設けたことを特徴とするステッキ。
【請求項２】
中空部を有するＴ字状把持部（Ａ）と棒状支持桿（Ｂ）とを結合したステッキであって、該把持部（Ａ）のＴ部分先端にメロデイ等を流すスピーカーを且つその後端に電池収納室と電池蓋とからなる電源部を設け、該把持部（Ａ）上面に音声用スイッチと照明用スイッチとを併置しており、且つＴ字状把握部（Ａ）の棒状部分に前方を照らす照明部を設け、更に該スピーカーに接続した音声用ＩＣと照明部に接続した照明用ＩＣとを埋設しており、該棒状支持桿（Ｂ）の下方端部に滑り止めキャップを被せたことを特徴とするステッキ。
【請求項３】
該把持部（Ａ）と支持桿（Ｂ）との結合が、Ｔ字状把持部（Ａ）の棒状部分の下部の挿入凸部と棒状支持桿（Ａ）の上部の挿入凹部とを篏合し、両者の結合端部を接着剤により結着すると共に両者の結合表面に補強筒部を設けることによることを特徴とする請求項２記載のステッキ。
【請求項４】
照明部がＬＥＤ等の高輝度照明からなり、且つ該照明部表面に光を乱反射する凹凸状鏡面筒を備えたことを特徴とする、請求項１〜３のいずれかに記載のステッキ。
【請求項５】
音声部スイッチと照明部スイッチとの表面を一体カバーで覆って指タッチにより両スイッチを同時にオンオフすることを特徴とする請求項１〜４のいずれかに記載のステッキ。
【考案の詳細な説明】
【技術分野】
【０００１】  本考案は、すてきな昼・夜兼用ステッキに関する。
特に、本考案は、歩行が困難な人や老人、身体障害者、病人等が、暗闇や昼間に例えば横断歩道等を安全に歩行するために使用するすてきな照明・メロデイ兼用ステッキに関する。
【背景技術】
【０００２】  従来、ステッキは、歩行が困難な人や老人にとっては随時携帯が必要な道具である。
特に、体力の弱った老人ではその使用率は高い。このような人にとっては起床後の行動をステッキに頼らざるを得ず、特に老人や歩行困難者にとっては非常に重要な道具である。
また、このステッキはいずれも昼間を対象としており、特に夜間または薄暗がり時に横断歩道等においてドライバー等の早期の発見のためにステッキ自体に照明等を組み合わせて、高齢者でも安心して外出ができる環境作りを整えることが行われている。
例えば、把持部にスイッチと電池部を設け、中空支持桿の中央部に豆電球を埋設し照明灯カバーで覆った、足元を明るく照らし、周囲からも歩行者の確認が得られ、安心して外出できるステッキが（特許文献１）、また、把持部にスイッチと緊急ブザーと電池部を設け、中空支持桿に一定間隔を置いて多数の照明灯、特に上下段に数個の照明灯を設けて、遠方だけでなく、足元も照らすようにしたステッキが（特許文献２）、把持部にその先端に豆電球を埋設しレンズで覆った照明部とスイッチと電池部を設け、把持部と支持桿とがネジ等で結合され、支持桿に警報ブザーが設けられたステッキが（特許文献３）知られている。【０００３】  更に、把持部にプッシュ式スイッチと電池部を設け、支持桿に夫々白色、黄色の高輝度ダイオード照明部と電池部とが設けられ、支持桿の丈長を変更可能としたステッキが（特許文献４）知られている。
把持部にスイッチを設け、支持桿に豆電球からなる照明部と電池部とをセットで着脱自在に設けたステッキが（特許文献５）、把持部にその先端に照明カバーで覆った豆電球からなる照明部と電池部を設け、支持桿にも同様の照明部とスイッチとを設けたステッキが（特許文献６）知られている。
把持部にその先端に蛍光灯からなる照明部とスイッチと電池部を設けると共に、杖を伸縮自在とするモータを埋設し、ネジ切りした外筒と内筒とが篏合した自動伸縮杖が（特許文献７）知られている。【０００４】
【特許文献１】実開平６−２６５２３号公報
【特許文献２】登録第３０００５１９号
【特許文献３】登録第３０１５２０８号
【特許文献４】特開平２００２−１１９３１５号公報
【特許文献５】実開平３−５８１１３号公報
【特許文献６】実開平４−８１５１２号公報
【特許文献７】特開平８−２４２９１７号公報
【考案の開示】
【考案が解決しようとする課題】
【０００５】  しかしながら、上記のような各種の照明付きステッキでは、確かに夜間等での横断歩道等の歩行には便利であるが、上記先行技術によると昼間での歩行には警報ブザーの利用位しかなく、このような警報ブザーの使用では一緒に歩いている歩行者等に驚きを与える恐れがあるので、好ましいものではない。
【課題を解決するための手段】
【０００６】  本考案者等は上記課題について種々検討した結果、照明部と共に心地良いメロディ等を流す音声部をも設けることにより、夜間のみならず昼間でも使用できて、先行技術による警報ブザーのように歩行者等に驚きを与える恐れがなく、むしろ心地良さを与える昼夜兼用のメロディステッキを提供できることを見出し本考案を発見した。
即ち、本発明は；
（１）  Ｔ字状把持部（Ａ）と棒状支持桿（Ｂ）とからなるステッキであって、該ステッキにメロディ等を流す音声部と少なくとも１個の照明部と両者のオンオフを行うスイッチ部と電源部とを設けたステッキを提供する。また、
（２）  中空部を有するＴ字状把持部（Ａ）と棒状支持桿（Ｂ）とを結合したステッキであって、該把持部（Ａ）のＴ部分先端にメロデイ等を流すスピーカーを且つその後端に電池収納室と電池蓋とからなる電源部を設け、該把持部（Ａ）上面に音声用スイッチと照明用スイッチとを併置しており、且つＴ字状把持部（Ａ）の棒状部分に前方を照らす照明部を設け、更に該スピーカーに接続した音声用ＩＣと照明部に接続した照明用ＩＣとを埋設しており、該棒状支持桿（Ｂ）の下方端部に滑り止めキャップを被せたステッキを提供する。また、
（３）  該把持部（Ａ）と支持桿（Ｂ）との結合が、Ｔ字状把持部（Ａ）の棒状部分の下部の挿入凸部と棒状支持桿（Ａ）の上部の挿入凹部とを篏合し、両者の結合端部を接着剤により結着すると共に両者の結合表面に補強筒部を設けることによる点に特徴を有する。また、
（４）  照明部がＬＥＤ等の高輝度照明からなり、且つ該照明部表面に光を乱反射する凹凸状鏡面筒を備えた点に特徴を有する。また、
（５）  音声部スイッチと照明部スイッチとの表面を一体カバーで覆って指タッチにより両スイッチを同時にオンオフする点に特徴を有する。【０００７】  本考案は、下記の実施の態様をも包含する。
（ｉ）更に、支持桿下部に足元を照らす照明部を設ける点に特徴を有する。また、
（ｉｉ）凹凸状鏡面筒が透明又は半透明のアクリル樹脂、ポリカーボネート樹脂等のプラスチック材であって、及び／又は該筒が注意を喚起する黄色とする点に特徴を有する。また、
（ｉｉｉ）Ｔ字状把持部（Ａ）の棒状部分の下部の挿入凸部と棒状支持桿（Ａ）の上部の挿入凹部とに、強固な篏合を確保するためにネジ切りを行う点に特徴を有する。また、
（ｉｖ）ステッキ上部に吊り紐を設ける点に特徴を有する。また、
（ｖ）滑り止めキャップが衝撃吸収ゴム等のゴム製である点に特徴を有する。また、
（ｖｉ）把持部（Ａ）が高強度・弾性を有するＡＢＳ樹脂であり、支持桿（Ｂ）が硬質軽量木質材である点に特徴を有する。また、
（ｖｉｉ）音声部スイッチと照明部スイッチが押しボタン式である点に特徴を有する。また、
（ｖｉｉｉ）ステッキに警報ブザーを設ける点に特徴を有する。
【考案の効果】
【０００８】  本考案のメロデイステッキは、（ｉ）照明とメロディ等の音声を兼用するので、歩行が困難な人や老人、身体障害者、病人等が、暗闇でも昼間でも優しく使用でき、特に昼夜でも同じく横断歩道等を安全に歩行できる効果がある。
（ｉｉ）照明部を覆うカバーとして乱反射する凹凸状鏡面筒を用いるので、歩行者や自動車等から見易い。また、カバー色として透明又は半透明であるので、光が全て通過し易いし、警戒色として黄色を一部用いるので、歩行の安全性が増す。
（ｉｉｉ）把持部（Ａ）と支持桿（Ｂ）とが夫々別体で作られているので、ステッキの加工がし易く種々の部品を埋設又は設けることが容易である。
（ｉｖ）把持部（Ａ）が部分的に中空としたので、軽量化でき老人等に優しい。
（ｖ）照明部としてＬＥＤ等の高輝度照明を用いたので、明るい上に消費電力が少ないので電源部として通常の電池の使用で十分である。
【考案を実施するための最良の形態】
【０００９】  以下、本発明を詳細に説明する。
図１〜４に基づいて本考案の照明・メロディ兼用ステッキを説明する。
図１は、本考案のメロデイステッキの外観図であり、（イ）はその正面図であり、（ロ）はその横面図であり、（ハ）はその背面図であり、（ニ）はその電池部の構造を示し、（ホ）はその上方図である。
図２は、その照明部の拡大図であり、（イ）はその正面図であり、（ロ）はその下方図である。
図３は、照明部と支持桿との結合状態図であり、（イ）はその縦断面図であり、（ロ）はその挿入部の外観図である。
図４は、発光（照明）・音声回路系統図である。【００１０】  本考案の照明・メロディ兼用ステッキは、基本的には、図１に示すように、Ｔ字状把握部２と棒状支持桿１３とからなるメロデイステッキ１であって、該ステッキ１にメロディ等を流すスピーカー５からなる音声部と少なくとも１個の照明部３と両者のオンオフを行うスイッチ部９と電池部６からなる電源部とを設けたステッキである。
ここで、メロディ等を流す音声部とは、メロデイ等を流すスピーカーとメロデイ等を入力する音声用ＩＣ等のメロデイ等を発するための機構を指し、先行技術に示された警報ブザーは含まれない。
照明部とは、豆電球、蛍光灯、ＬＥＤ等の任意の照明備品と照明用ＩＣ等を含む前方を照らすための機構を指す。
スイッチ部とは、音声部と照明部とを作動・停止するためのオンオフ機能を持つ押しボタン等のスイッチ群を指す。
電源部とは、音声部と照明部とを作動・停止するための電気的エネルギーを貯えた電池や収納室等からなる電池部を指す。【００１１】  具体的には、図１に示すように、把持部２のＴ部分先端にメロデイ等を流すスピーカー５を且つその後端に電池収納室６ａと電池蓋６ｂとからなる電池部６からなる電源部を設け、その電源部としては乾電池、充電式電池等特に限定されない。
更に、該把持部２の上面に音声用スイッチ９ａと照明用スイッチ９ｂとを設けており、しかも両スイッチ部９を設ける位置は特に限定されないが、好ましくは併置されること、特に、音声部スイッチ９ａと照明部スイッチ９ｂとが該把持部２の上面に例えば合成樹脂、特にポリ塩化ビニル等のカバーシートで一体的に覆っていて親指等のタッチにより両スイッチを同時にオンオフすることがスイッチが入力の簡易さ上望ましい。
従って、音声部スイッチと照明部スイッチとは押しボタン式であることが望ましい。
また、勿論、両スイッチは少々離して別々に押せるようにしても良い。【００１２】  図１に示すように、Ｔ字状把持部２の棒状部１８に前方を照らす照明部３を設け、更に該スピーカー５に接続した各種メロデイを予め入力してある音声用ＩＣ８ａと、照明部３に接続した照明用ＩＣ８ｂとを埋設しており、例えば夜間等で横断歩道の前でスイッチ部９を親指等で押すことにより、照明が点灯すると共に快いメロデイが鳴って、歩行者は勿論のこと自動車等にも十分に認識でき、何も歩行に不安を感ずることがない。
また、昼間では、照明は原則として不用であるから、例えば人指指等で音声用スイッチ９ａのみを押して快適なメロデイを流すので、歩行者等に不快感を与えることなく、その存在を知らせることができる。【００１３】  また、照明部３には、その照明源としては特に制限されないが、高輝度で低消費電力の点からＬＥＤ等の高輝度照明の使用が好ましく、勿論豆電球や蛍光灯の使用も構わない。
図２に示すように、照明部３の表面には、光を乱反射する凹凸状鏡面筒３ａを備えることが良く、特に該鏡面筒が透明又は半透明であって外部に光線を多く放出することが良く、その材質も簡単に取り替え自在なアクリル樹脂、ポリカーボネート樹脂等のプラスチック材が望ましい。
また、該鏡面筒として警戒色である黄色とすることも歩行者や自動車に早期に注意を与えることができ好ましい。
更に、使用者の足元の暗がりを避けるために、支持桿下部に足元を照らす照明部を設けても良い。【００１４】  該把持部２と支持桿１３とは一体に形成してもまた夫々別体に形成しても構わないが、製作上の容易さ、使用上の観点及び強度等を考慮して別体に形成することが好ましい。また、把持部２の棒状部分１８はアルミ合金製で構成するのが好ましく、例えば図３に示すように２又は３段開閉式に組み立てるのが好ましい。
また、該把握部２は、種々の部品を装備し、且つその設置するための加工の容易さの観点から、樹脂製、特に高強度・弾性を有するＡＢＳ樹脂が好ましいが、それに限らず硬質軽量中空アルミ材等の高強度金属材等の金属材や硬質軽量木質材等の木質材を使用でき、
また、支持桿１３としてはステッキとして汎用の木質材、特に硬質軽量木質材が好ましく使用できる。
図３に示すように、把持部２と支持桿１３とを別体に形成して結合させる場合には、Ｔ字状把持部２の棒状部分の下部の挿入凸部１７と棒状支持桿１３の上部の挿入凹部１２とを篏合し、両者の結着端部１４をエポキシ樹脂、アクリル樹脂等の強力接着剤により結着すると共に両者の結合表面に補強筒４を設ける。【００１５】  このように把持部２と支持桿１３とを極めて強固に結合させるので、スイッチを使用中にこの結合部分から外れたり折れたりすることもない。
また、Ｔ字状把持部２の棒状部分の下部の挿入凸部１７と棒状支持桿１３の上部の挿入凹部１２に、強固な篏合を確保するためにネジ切りを行って、夫々の挿入凹部１２、挿入凸部１７に雌ネジ１５、雄ネジ１６を設けることも結合強度の観点から良い。
該棒状支持桿１３の下方端部にゴム製等の滑り止めキャップ７を被せることが良い。
滑り止めキャップ７の材質としては、雨中でも滑らなくするためにゴム製、特に衝撃吸収ゴム等の使用が好ましくい。
ステッキ１の上部に吊り紐を設けるても良い。
ステッキに警報ブザーを設けても良い。
【図面の簡単な説明】
【００１６】
【図１】  本考案のメロデイステッキの外観図であり、（イ）はその正面図であり、（ロ）はその横面図であり、（ハ）はその背面図であり、（ニ）はその電池部の構造を示し、（ホ）はその上方図である。
【図２】  ステッキの照明部の拡大図であり、（イ）はその正面図であり、（ロ）はその下方図である。
【図３】  照明部と支持桿との結合状態図であり、（イ）はその縦断面図であり、（ロ）はその挿入部の外観図である。
【図４】  発光（照明）・音声回路系統図である。
【符号の説明】
【００１７】１  （メロデイ）ステッキ
２  （Ｔ字状）把持部
３  照明部
３ａ  凹凸状鏡面筒
４  補強筒
５  スピーカー
６  電池部
６ａ  電池収納室
６ｂ  電池蓋
７  滑り止めキャップ
８ａ  音声用ＩＣ
８ｂ  照明用ＩＣ
９  スイッチ部
９ａ  音声用スイッチ
９ｂ  照明用スイッチ
１２  挿入凹部
１３  （棒状）支持桿
１４  結着部
１５  雌ネジ
１６  雄ネジ
１７  挿入凸部
３１  電源供給回路
３２  メロデイ発生回路
３３  発光点滅回路
３４ａ  ＬＥＤ  Ａ
３４ｂ  ＬＥＤ  Ｂ
３５  アース
３６  電源
【図１】
0003112664.tif 000003
【図２】
0003112664.tif 000004
【図３】
0003112664.tif 000005
【図４】
0003112664.tif 000006